(57)【要約】【課題】鋳抜きピンの冷却性能に優れ、かつ、鋳抜きピンを備えた成形型において鋳抜きピンが破損した場合でも溶融材料が鋳抜きピンの内部を流通して冷却装置に流れ込むといった問題が生じない鋳抜きピンの冷却構造を提供する。【解決手段】内部に冷却媒体が流入する流入路１ａを備えた冷却パイプ１が、成形型Ｍに備えられた鋳抜きピンＰの内部に配設され、鋳抜きピンＰの内面Ｐａと冷却パイプ１の外面１ｂの間に冷却パイプ１の先端から流出された冷却媒体が排出される排出路Ｆが形成されており、平坦な薄板から形成された螺旋状のバネ部材２が冷却パイプ１の周囲に配設され、かつバネ部材２が鋳抜きピンＰの内面Ｐａと冷却パイプ１の外面１ｂに接しており、冷却パイプ１とバネ部材２からなる鋳抜きピンの冷却構造１０である。【選択図】図１
2017074595.tif 000002
【特許請求の範囲】
【請求項１】
内部に冷却媒体が流入する流入路を備えた冷却パイプが、成形型に備えられた鋳抜きピンの内部に配設され、鋳抜きピンの内面と冷却パイプの外面の間に冷却パイプの先端から流出された冷却媒体が排出される排出路が形成されており、
平坦な薄板から形成された螺旋状のバネ部材が冷却パイプの周囲に配設され、かつ該バネ部材が鋳抜きピンの内面と冷却パイプの外面に接しており、
前記冷却パイプと前記バネ部材からなる、鋳抜きピンの冷却構造。
【発明の詳細な説明】
【技術分野】
【０００１】
本発明は成形型（射出成形金型もしくはダイカスト鋳造金型）に備えられた鋳抜きピンの冷却構造に関するものである。
【背景技術】
【０００２】
成形品の製造方法は多岐に亘るが、その一つの方法として、中空を備えた成形型（射出成形金型もしくはダイカスト鋳造金型）の内部に鋳抜きピンを配設し、成形型の中空の内面と鋳抜きピンの外面の間に形成されたキャビティに溶融樹脂や溶融金属等の溶融材料を注入して成形品を製造する方法が挙げられる。
この成形型を使用した成形品の製造方法を図５を参照して説明する。
【０００３】
図５で示す成形型Ｍは、固定型Ｍ１、可動型Ｍ２、および可動補助型Ｍ３から構成され、可動型Ｍ２から固定型Ｍ１に亘って連続する中空内に鋳抜きピンＰが配設されてその全体が大略構成されている。
【０００４】
固定型Ｍ１の中空の内面と鋳抜きピンＰの外面の間にキャビティＣが形成され、固定型Ｍ１に備えてある注入孔Ｍ１ａを介して注入された（Ｘ１方向）溶融材料ＪがキャビティＣに充填され、硬化して成形品が製造される。
【０００５】
成形型Ｍの内部に配設され、高温の溶融材料に曝される鋳抜きピンＰは冷却される必要があることから、鋳抜きピンＰの内部の中空には冷却パイプＲが配設される。可動補助型Ｍ３には流路Ｓａ，Ｓｂが開設された口金Ｓが埋設されており、固定補助型Ｍ３に開設された流路Ｍ３ａと口金Ｓの流路Ｓａが流体連通し、流路Ｓａと冷却パイプＲの中空Ｒａが流体連通している。
【０００６】
一方、鋳抜きピンＰの内面と冷却パイプＲの外面の間には冷却媒体が流通する排出路Ｆが形成され、この排出路Ｆと口金Ｓの流路Ｓｂが流体連通し、流路Ｓｂと固定補助型Ｍ３に開設された別途の流路Ｍ３ｂが流体連通している。
【０００７】
不図示の冷却装置から供給された冷却水等の冷却媒体は、流路Ｍ３ａ，流路Ｓａを介して冷却パイプＲの中空Ｒａ内に流入し（Ｙ１方向）、中空Ｒａ内を流通し（Ｙ２方向）、冷却パイプＲの先端開口から排出路Ｆに排出され（Ｙ３方向）、排出路Ｆを流通する過程で鋳抜きピンＰを冷却するようになっている。排出路Ｆを流通した冷却媒体は流路Ｓｂに流入し（Ｙ４方向）、流路Ｍ３ｂを流通して冷却装置に排出される。
【０００８】
このように、図５で示す成形型Ｍでは、冷却パイプＲが鋳抜きピンＰを冷却する冷却構造を構成している。
【０００９】
ところで、成形型Ｍの繰り返し使用により、図６で示すように鋳抜きピンＰの先端が折れる等、破損する場合が生じ得る。
【００１０】
このように鋳抜きピンＰの先端が破損すると、注入孔Ｍ１ａから注入された溶融材料が排出路Ｆに浸入して流通し、流路Ｓｂ，流路Ｍ３ｂを介して不図示の冷却装置に浸入する危険性がある。
【００１１】
したがって、図５で示すような鋳抜きピンＰを備えた成形型Ｍを使用して成形品を製造するに当たっては、鋳抜きピンＰが破損した際に溶融材料が鋳抜きピンＰの内部を流通して冷却装置に流れ込むといった問題を解消することが必要となる。
【００１２】
すなわち、冷却装置に高温かつ高圧の溶融材料が流れ込むことで当該冷却装置は破損に至り、冷却装置が破損した際には、成形設備の復旧までに長いリードタイムと工数を要することになり、生産稼働や修復費用への影響が大きくなり得る。
【００１３】
ここで、特許文献１には、入子ピンの冷却穴と金型冷却用パイプの整流体との間に隙間を設け、整流体により形成されたスパイラル流路に加えて、隙間により形成された隙間流路にも冷却水を流すようにすることにより、冷却穴と冷却水との接触面積を増やし、従来よりも多くの面積で熱交換を行うことができるようにした金型冷却用パイプが開示されている。
【００１４】
この金型冷却用パイプにおいては、隙間流路に冷却水を流すことにより、冷却穴の側壁と整流体とで挟まれた部分において冷却水が滞留しないようにするとともに、冷却穴の側壁と冷却水との接面に生ずる境膜を薄くし、熱交換の効率性を向上させることができるとしている。
【先行技術文献】
【特許文献】
【００１５】
【特許文献１】特開２０１０−２４０６９５号公報
【発明の概要】
【発明が解決しようとする課題】
【００１６】
特許文献１に開示の金型冷却用パイプによれば、熱交換の効率性を向上させることが可能になる。しかしながら、この金型冷却用パイプでは、入子ピンの冷却穴と金型冷却用パイプの整流体との間に隙間を設けることから、上記する課題、すなわち、図５で示すような鋳抜きピンＰを備えた成形型Ｍを使用して成形品を製造するに当たり、鋳抜きピンＰが破損した際に溶融材料が鋳抜きピンＰの内部を流通して冷却装置に流れ込むといった問題を解消することはできない。
【００１７】
本発明は上記する問題に鑑みてなされたものであり、鋳抜きピンの冷却性能に優れ、かつ、鋳抜きピンを備えた成形型において鋳抜きピンが破損した場合でも溶融材料が鋳抜きピンの内部を流通して冷却装置に流れ込むといった問題が生じない鋳抜きピンの冷却構造を提供することを目的とする。
【課題を解決するための手段】
【００１８】
前記目的を達成すべく、本発明による鋳抜きピンの冷却構造は、内部に冷却媒体が流入する流入路を備えた冷却パイプが、成形型に備えられた鋳抜きピンの内部に配設され、鋳抜きピンの内面と冷却パイプの外面の間に冷却パイプの先端から流出された冷却媒体が排出される排出路が形成されており、平坦な薄板から形成された螺旋状のバネ部材が冷却パイプの周囲に配設され、かつ該バネ部材が鋳抜きピンの内面と冷却パイプの外面に接しており、前記冷却パイプと前記バネ部材からなるものである。
【００１９】
本発明による鋳抜きピンの冷却構造は冷却パイプとバネ部材から構成され、平坦な薄板から形成された螺旋状のバネ部材が冷却パイプの周囲に配設されていること、およびこのバネ部材が鋳抜きピンの内面と冷却パイプの外面に接していることに特徴を有するものである。
【００２０】
冷却パイプの周囲において、螺旋状のバネ部材が鋳抜きピンの内面と冷却パイプの外面に接した状態で配設されていることにより、鋳抜きピンの先端が破損し、鋳抜きピンと冷却パイプの間に溶融樹脂や溶融金属等の溶融材料が入り込んできた際には、溶融材料の流れ込みはバネ部材で完全に遮断され、溶融材料が排出路を介して冷却装置に流れ込むといった問題は生じ得ない。また、供給された冷却水等の冷却媒体が、流路Ｍ３ａ，流路Ｓａを介して冷却パイプＲの中空Ｒａ内に流入し（Ｙ１方向）、中空Ｒａ内を流通し（Ｙ２方向）、注入孔Ｍ１ａから注入された溶融材料を冷却・固化して中空Ｒａ内を遮断するため、溶融材料が流路Ｍ３ａを介して冷却装置に逆流するといった問題は生じ得ない。
【００２１】
また、バネ部材が平坦な薄板から形成されていることから、溶融材料によってバネ部材が押込まれた際に、平坦な薄板からなるバネ部材が速やかに収縮し、収縮した状態のバネ部材にて溶融材料による押込まれに対抗することができる。
【００２２】
一方、鋳抜きピンの先端が破損していない常時においては、螺旋状を呈した薄板のバネ部材の平坦面を冷却媒体が流通し、この流通過程で鋳抜きピンの内面を冷却する。
【００２３】
この際、バネ部材が平坦な薄板から形成されていることで、たとえば断面円形のバネ部材と比較した際に、冷却媒体の流通性が良好になる。
【００２４】
より具体的には、断面円形のワイヤー等を使用した場合、ワイヤーの円弧面上を冷却媒体が通過する際に、円弧面ゆえに冷却媒体との接触面積が大きくなり、ワイヤー表面と冷却媒体の相互間の動摩擦抵抗にて冷却媒体のスムーズな流通が阻害され易くなる。
【００２５】
これに対し、本発明の冷却構造では、バネ部材の平坦面上を冷却媒体が流通することからバネ部材と冷却媒体との接触面積が可及的に小さくなり、バネ部材と冷却媒体の相互間の動摩擦抵抗も小さくなることで冷却媒体のスムーズな流通が促進される。
【発明の効果】
【００２６】
以上の説明から理解できるように、本発明の鋳抜きピンの冷却構造によれば、螺旋状のバネ部材に沿って冷却媒体を流通させることにより、優れた鋳抜きピンの冷却性能が奏されるとともに、鋳抜きピンの先端が破損して鋳抜きピンと冷却パイプの間に溶融材料が入り込んできた際に、溶融材料の流れ込みを収縮したバネ部材で完全に遮断することができる。
【図面の簡単な説明】
【００２７】
【図１】本発明の鋳抜きピンの冷却構造を備えた成形型を示した縦断面図であって、鋳抜きピンの先端が破損していない状態を示した図である。
【図２】バネ部材が収縮していない状態の鋳抜きピンの冷却構造を示した斜視図である。
【図３】鋳抜きピンの先端が破損している状態の成形型を示した縦断面図である。
【図４】バネ部材が収縮している状態の鋳抜きピンの冷却構造を示した斜視図である。
【図５】従来の鋳抜きピンの冷却構造を備えた成形型を示した縦断面図であって、鋳抜きピンの先端が破損していない状態を示した図である。
【図６】鋳抜きピンの先端が破損している状態の従来の成形型を示した縦断面図である。
【発明を実施するための形態】
【００２８】
以下、図面を参照して本発明の鋳抜きピンの冷却構造の実施の形態を説明する。
【００２９】
（鋳抜きピンの冷却構造の実施の形態）
図１は本発明の鋳抜きピンの冷却構造を備えた成形型を示した縦断面図であって、鋳抜きピンの先端が破損していない状態を示した図であり、図２はバネ部材が収縮していない状態の鋳抜きピンの冷却構造を示した斜視図である。また、図３は鋳抜きピンの先端が破損している状態の成形型を示した縦断面図であり、図４はバネ部材が収縮している状態の鋳抜きピンの冷却構造を示した斜視図である。
【００３０】
図１で示すように、成形型Ｍは、固定型Ｍ１、可動型Ｍ２、および可動補助型Ｍ３から構成され、可動型Ｍ２から固定型Ｍ１に亘って連続する中空内に鋳抜きピンＰが配設されてその全体が構成されている。
【００３１】
固定型Ｍ１の中空の内面と鋳抜きピンＰの間にキャビティＣが形成され、固定型Ｍ１に備えてある注入孔Ｍ１ａを介して注入された（Ｘ１方向）溶融材料ＪがキャビティＣに充填され、硬化して成形品が製造される。
【００３２】
鋳抜きピンＰはその内部に中空を有しており、この中空に流入路１ａを備えた冷却パイプ１が配設される。可動補助型Ｍ３には流路Ｓａ，Ｓｂが開設された口金Ｓが埋設され、固定補助型Ｍ３に開設された流路Ｍ３ａと口金Ｓの流路Ｓａが流体連通し、流路Ｓａと冷却パイプ１の流入路１ａが流体連通する。
【００３３】
また、鋳抜きピンＰの内面Ｐａと冷却パイプ１の外面１ｂの間には冷却媒体が流通する排出路Ｆが形成され、この排出路Ｆと口金Ｓの流路Ｓｂが流体連通し、流路Ｓｂと固定補助型Ｍ３に開設された別途の流路Ｍ３ｂが流体連通する。
【００３４】
図２で示すように、冷却パイプ１の周囲には、平坦な薄板から形成された螺旋状のバネ部材２が配設され、これら冷却パイプ１とバネ部材２から鋳抜きピンの冷却構造１０が構成される。
バネ部材２は、鋳抜きピンＰの内面Ｐａと冷却パイプ１の外面１ｂに接している。
【００３５】
図１で示すように、不図示の冷却装置から供給された冷却水等の冷却媒体は、流路Ｍ３ａ，流路Ｓａを介して冷却パイプ１の流入路１ａ内に流入し（Ｙ１方向）、流入路１ａ内を流通し（Ｙ２方向）、冷却パイプ１の先端開口から排出路Ｆに排出され（Ｙ３方向）、螺旋状のバネ部材２の平坦面を流通する過程で鋳抜きピンＰを冷却する（Ｙ３’方向）。
【００３６】
螺旋状のバネ部材２の平坦面を流通した冷却媒体は流路Ｓｂに流入し（Ｙ４方向）、流路Ｍ３ｂを流通して冷却装置に排出される。
【００３７】
バネ部材２が平坦面を有し、この平坦面上を冷却媒体が流通することから、たとえば断面円形のワイヤー等の円弧面上を冷却媒体が流通する場合に比して、冷却媒体との接触面積が可及的に小さくなり、このことに起因してバネ部材２と冷却媒体の相互間の動摩擦力が可及的に小さくなり、結果として冷却媒体をスムーズに流通させることができる。
【００３８】
また、この冷却媒体の流通に当たり、バネ部材２が鋳抜きピンＰの内面Ｐａと冷却パイプ１の外面１ｂに接していること、すなわちバネ部材２と鋳抜きピンＰ、バネ部材２と冷却パイプ１の間に隙間が存在しないことから、冷却媒体が流通過程で隙間から流れ落ち、流れ落ちた冷却媒体がバネ部材２の表面を流通する冷却媒体に衝突して当該流通を阻害するといった問題も生じ得ない。
【００３９】
一方、図３で示すように、鋳抜きピンの先端が折れる等、破損した場合は、溶融材料が排出路Ｆに流れ込んでくる（Ｘ２方向）。
【００４０】
このように排出路Ｆに流入してきた溶融材料により、図３、４で示すように、薄板から形成された螺旋状のバネ部材２は溶融材料の流入方向に収縮する（Ｚ方向）。
【００４１】
バネ部材２が平坦な薄板から形成されていることから、溶融材料によってバネ部材が押込まれた際に、平坦な薄板からなるバネ部材２が速やかに収縮し、収縮した状態のバネ部材２にて溶融材料による押込まれに対抗することができる。
【００４２】
そして、溶融材料の流れ込みは収縮した状態のバネ部材２で完全に遮断され、溶融材料が排出路Ｆを介して不図示の冷却装置に流れ込むといった問題は生じ得ない。
【００４３】
なお、ここでも、この冷却媒体の流通に当たり、バネ部材２が鋳抜きピンＰの内面Ｐａと冷却パイプ１の外面１ｂに接していること、すなわちバネ部材２と鋳抜きピンＰ、バネ部材２と冷却パイプ１の間に隙間が存在しないことから、冷却媒体が隙間から下方に流れ落ち、流れ落ちた溶融材料が不図示の冷却装置に流れ込むことはない。
【００４４】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００４５】
１…冷却パイプ、１ａ…流入路、１ｂ…外面、２…バネ部材、１０…鋳抜きピンの冷却構造、Ｍ…成形型、Ｍ１…固定型、Ｍ２…可動型、Ｍ３…可動補助型、Ｐ…鋳抜きピン、Ｐａ…内面、Ｃ…キャビティ、Ｊ…溶融材料
【図１】
2017074595.tif 000003
【図２】
2017074595.tif 000004
【図３】
2017074595.tif 000005
【図４】
2017074595.tif 000006
【図５】
2017074595.tif 000007
【図６】
2017074595.tif 000008